(57)【要約】【課題】表示装置の解像度に応じて、動画データの画質改善処理の設定を変えること。【解決手段】ビデオデコーダ５２１は、符号化されている第１動画データを復号することによって第２動画データを生成する。グラフマネージャ／メディアファンデーションプレイヤ５３２は、第２動画データに対応する動画データに基づいた映像が表示される表示装置の解像度を取得する。グラフマネージャ／メディアファンデーションプレイヤ５３２は表示装置の解像度に応じた画質改善処理の設定値を画質改善モジュール５２３Ｃに設定する。画質改善モジュール５２３Ｃは、第２動画データに対して画質改善処理を行う。【選択図】    図３
2011244160.tif 000002
【特許請求の範囲】
【請求項１】
符号化されている第１動画データを復号することによって第２動画データを生成する復号手段と、
前記第２動画データに基づいた映像が表示される表示装置の解像度を取得する解像度取得手段と、
前記第２動画データに対して、前記表示装置の解像度に応じた画質改善処理を行う画質改善手段と、
を具備する再生装置。
【請求項２】
前記解像度取得手段は、前記表示装置からパネルサイズおよび画素数を取得し、取得されたパネルサイズおよび画素数に基づいて前記解像度を演算する、請求項１に記載の再生装置。
【請求項３】
前記画質改善手段は前記第２動画データのシャープネスを調整し、
前記解像度が閾値より高い場合に設定されるシャープネスの設定値は、前記解像度が閾値より高くない場合に設定されるシャープネスの設定値より高い、請求項１に記載の再生装置。
【請求項４】
前記第２動画データに基づいた映像が表示されるウィンドウのサイズを取得するサイズ取得手段を更に具備し、
前記画質改善手段は、前記サイズ取得手段によって取得されたサイズに応じた前記画質改善処理の設定値を行なう、請求項１に記載の再生装置。
【請求項５】
前記画質改善手段は、前記第２動画データのシャープネスを調整し、
前記第２動画データの画素数が前記ウィンドウのサイズより大きい場合に設定されるシャープネスの設定値は、前記第３動画データの画素数が前記ウィンドウのサイズより大きくない場合に設定されるシャープネスの設定値より高い、請求項４に記載の再生装置。
【請求項６】
符号化されている第１動画データを復号することによって第２動画データを生成し、
前記第２動画データに基づいた映像が表示される表示装置の解像度を取得し、
前記表示装置の解像度に応じた画質改善処理の設定値を設定し、
前記画質改善処理の設定値に基づいて前記第２動画データに対して画質改善処理を行う
再生方法。
【請求項７】
前記解像度の取得において、前記表示装置からパネルサイズおよび画素数を取得し、取得されたパネルサイズおよび画素数に基づく前記解像度の演算を行なう、
請求項６に記載の再生方法。
【請求項８】
前記画質改善処理は前記第２動画データのシャープネスの調整を含み、
前記画質改善処理の設定は、前記解像度が閾値より高い場合に設定されるシャープネスの設定値は、前記解像度が閾値より高くない場合に設定されるシャープネスの設定値より高い、請求項６に記載の再生方法。
【請求項９】
前記第２動画データに基づいた映像が表示されるウィンドウのサイズを取得し、
取得されたサイズに応じた前記画質改善処理の設定値の設定を行う、
請求項６に記載の再生方法。
【請求項１０】
前記画質改善処理は、前記第２動画データのシャープネスの調整を含み、
前記画質改善処理の設定は、前記第２動画データの画素数が前記ウィンドウのサイズより大きい場合に設定されるシャープネスの設定値は、前記第２動画データの画素数が前記ウィンドウのサイズより大きくない場合に設定されるシャープネスの設定値より高い、請求項９に記載の再生方法。
【発明の詳細な説明】
【技術分野】
【０００１】
本発明の実施形態は、画質改善処理を行う再生装置および再生方法に関する。
【背景技術】
【０００２】
最近のコンピュータに搭載される動画を再生するＡＶアプリケーションにおいては、他社のアプリケーションとの差別化を図るために、画質改善処理が組み込まれる傾向にある。
【０００３】
現在は、表示されるモニタを考慮せずに一つの設定によって画質改善処理を行っている。現在ではＴＶやディスプレイなどの外部表示装置に出力するケースも考えられるが、コンピュータに内蔵されたディスプレイパネルにもさまざまなサイズおよび画素数が存在する。
【０００４】
解像度が高いモニタに動画映像を表示した場合、くっきり見える傾向があるので、画像をソフトにした方が好ましい。また、解像度が高いモニタに動画映像を表示した場合にはシャープにした方が好ましい。従って、表示装置の解像度に応じて、画質改善処理の設定を変えることが好ましい。
【先行技術文献】
【特許文献】
【０００５】
【特許文献１】特開２００７−３０６０９５号公報
【発明の概要】
【発明が解決しようとする課題】
【０００６】
上述したように、表示装置の解像度に応じて、画質改善処理の設定を変えることが望まれていた。
【０００７】
本発明の目的は、表示装置の解像度に応じて、画質改善処理の設定を変えることが可能な再生装置および再生方法を提供することにある。
【課題を解決するための手段】
【０００８】
実施形態に係わる再生装置は、符号化されている第１動画データを復号することによって第２動画データを生成する復号手段と、前記第２動画データに基づいた映像が表示される表示装置の解像度を取得する解像度取得手段と、前記第２動画データに対して、前記表示装置の解像度に応じた画質改善処理を行う画質改善手段と、を具備する。
【図面の簡単な説明】
【０００９】
【図１】一実施形態に係わる再生装置およびテレビ受像器の外観を示す模式図。
【図２】一実施形態に係わる再生装置およびテレビ受像器のシステム構成を示すブロック図。
【図３】一実施形態に係わるＤＶＤアプリケーションの構成を示すブロック図。
【図４】一実施形態に係わる画質改善の設定値を設定する手順を示すフローチャート。
【図５】一実施形態に係わるＤＶＤアプリケーションの構成を示すブロック図。
【発明を実施するための形態】
【００１０】
実施の形態を以下に図面を参照して説明する。
【００１１】
まず、図１および図２を参照して、本実施形態に係る再生装置の構成を説明する。本実施形態の再生装置は、例えば、ノートブック型の携帯型パーソナルコンピュータ１０から実現されている。
【００１２】
このパーソナルコンピュータ１０は、ＤＶＤに格納されているＤＶＤ−Ｖｉｄｅｏを再生するＤＶＤ再生機能を有している。このＤＶＤ再生機能は、例えば、パーソナルコンピュータ１０に予めインストールされているＤＶＤアプリケーションプログラムによって実現されている。
【００１３】
図１はコンピュータ１０のディスプレイユニットを開いた状態における斜視図である。本コンピュータ１０は、コンピュータ本体１１と、ディスプレイユニット１２とから構成されている。ディスプレイユニット１２には、ＴＦＴ−ＬＣＤ（Thin Film Transistor Liquid Crystal Display）１７から構成される表示装置が組み込まれている。
【００１４】
ディスプレイユニット１２は、コンピュータ本体１１に対し、コンピュータ本体１１の上面が露出される開放位置とコンピュータ本体１１の上面を覆う閉塞位置との間を回動自在に取り付けられている。コンピュータ本体１１は薄い箱形の筐体を有しており、その上面にはキーボード１３、本コンピュータ１０をパワーオン／パワーオフするためのパワーボタン１４、タッチパッド１６、およびスピーカ１８Ａ，１８Ｂなどが配置されている。
【００１５】
コンピュータ本体１１の例えば背面には、例えばＨＤＭＩ(high-definition multimedia interface)規格に対応した外部ディスプレイ接続端子が設けられている。この外部ディスプレイ接続端子は、放送番組データのような映像コンテンツデータに含まれる映像データ（動画像データ）をＨＤＭＩケーブル３０を介してテレビ受像器２０に出力するために用いられる。
【００１６】
テレビ受像器２０には、ＴＦＴ−ＬＣＤ２１から構成される表示パネルが組み込まれている。
【００１７】
次に、図２を参照して、本コンピュータ１０のシステム構成およびテレビ受像器２０の構成について説明する。
【００１８】
テレビ受像器２０は、ＥＤＩＤ（extended display identification data）２２を有する。ＥＤＩＤ２２はフラッシュメモリ等に格納されている。ＥＤＩＤ２２は、ディスプレイの固有情報(ベンダ名、型番、パネルサイズ、画素数、リフレッシュレート等)を接続している後述するＧＰＵ１０５に通知するためのデータである。また、コンピュータ１０内で動作するアプリケーションは、ＧＰＵ１０５を制御するドライバを介してＥＤＩＤ２２を取得することができる。
【００１９】
本コンピュータ１０は、図２に示されているように、ＣＰＵ１０１、ノースブリッジ１０２、主メモリ１０３、サウスブリッジ１０４、グラフィクスプロセッシングユニット（ＧＰＵ）１０５、ビデオメモリ（ＶＲＡＭ）１０５Ａ、サウンドコントローラ１０６、ＢＩＯＳ−ＲＯＭ１０９、ＬＡＮコントローラ１１０、ハードディスクドライブ（ＨＤＤ）１１１、ＤＶＤドライブ１１２、無線ＬＡＮコントローラ１１４、IEEE 1394コントローラ１１５、およびエンベデッドコントローラ／キーボードコントローラＩＣ（ＥＣ／ＫＢＣ）１１６等を備えている。
【００２０】
ＣＰＵ１０１は本コンピュータ１０の動作を制御するプロセッサであり、ハードディスクドライブ（ＨＤＤ）１１１から主メモリ１０３にロードされる、オペレーティングシステム（ＯＳ）２０１、およびＤＶＤアプリケーションプログラム２０２のような各種アプリケーションプログラムを実行する。ＤＶＤアプリケーションプログラム２０２はＤＶＤドライブ１１２に装填されたＤＶＤを再生するためのソフトウェアである。また、ＣＰＵ１０１は、ＢＩＯＳ−ＲＯＭ１０９に格納されたＢＩＯＳ（Basic Input Output System）も実行する。ＢＩＯＳはハードウェア制御のためのプログラムである。
【００２１】
ノースブリッジ１０２はＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、PCI EXPRESS規格のシリアルバスなどを介してＧＰＵ１０５との通信を実行する機能も有している。
【００２２】
ＧＰＵ１０５は、本コンピュータ１０のディスプレイモニタとして使用されるＬＣＤ１７を制御する表示コントローラである。ＧＰＵ１０５は、ＶＲＡＭ１０５をワークメモリとして使用する。このＧＰＵ１０５によって生成される映像信号はＬＣＤ１７に送られる。また、ＧＰＵ１０５は、ＨＤＭＩ制御回路３およびＨＤＭＩ端子２を介して、テレビ受像器２０内のＬＣＤ２１にデジタル映像信号を送出することもできる。ＧＰＵ１０５は、複数の演算プロセッサを有し、表示信号を生成すると同時に、複数の演算プロセッサの少なくとも一部を用いてピクセルシェーダを実行することが可能である。
【００２３】
また、ＬＣＤ１７およびＬＣＤ２１にそれぞれ映像信号が出力される場合、それぞれの映像信号に対応する映像のフレームレートは同じである。そのフレームレートは、ＬＣＤ１７のリフレッシュレートに対応する。
【００２４】
ＨＤＭＩ端子２は上述の外部ディスプレイ接続端子である。ＨＤＭＩ端子２は、非圧縮のデジタル映像信号と、デジタルオーディオ信号とを一本のケーブルでテレビのようなテレビ受像器２０に送出することができる。ＨＤＭＩ制御回路３は、ＨＤＭＩモニタと称されるテレビ受像器２０にデジタル映像信号をＨＤＭＩ端子２を介して送出するためのインタフェースである。
【００２５】
サウスブリッジ１０４は、ＬＰＣ（Low Pin Count）バス上の各デバイス、およびＰＣＩ（Peripheral Component Interconnect）バス上の各デバイスを制御する。また、サウスブリッジ１０４は、ハードディスクドライブ（ＨＤＤ）１１１およびＤＶＤドライブ１１２を制御するためのＩＤＥ（Integrated Drive Electronics）コントローラを内蔵している。さらに、サウスブリッジ１０４は、サウンドコントローラ１０６との通信を実行する機能も有している。
【００２６】
サウンドコントローラ１０６は音源デバイスであり、再生対象のオーディオデータをスピーカ１８Ａ，１８ＢまたはＨＤＭＩ制御回路３に出力する。
【００２７】
無線ＬＡＮコントローラ１１４は、たとえばIEEE 802.11規格の無線通信を実行する無線通信デバイスである。IEEE 1394コントローラ１１５は、IEEE 1394規格のシリアルバスを介して外部機器との通信を実行する。
【００２８】
エンベデッドコントローラ／キーボードコントローラＩＣ（ＥＣ／ＫＢＣ）１１６は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１１６は、ユーザによるパワーボタン１４の操作に応じて本コンピュータ１０をパワーオン／パワーオフする機能を有している。
【００２９】
次に、再生を行うために本装置のＣＰＵ１０１で実行されるＤＶＤアプリケーションプログラム２０２の構成を図３に示す。このプレイヤソフトは、コンテンツの再生を行うためにマイクロソフト社製のＯＳであるＷｉｎｄｏｗｓ（登録商標）環境下で実行されるメディアファンデーションといわれる技術を用いる。メディアファンデーションはＷｉｎｄｏｗｓのマルチメディアプラットフォームである。Ｍｅｄｉａ  Ｓｏｕｒｃｅ、Ｔｒａｎｓｆｏｒｍ、Ｍｅｄｉａ  Ｓｉｎｋという３種類のパイプラインコンポーネントを用いてメディアデータを流すトポロジーを生成する。Ｍｅｄｉａ  Ｓｏｕｒｃｅとは主に入力データを扱い、メディアデータを生成するコンポーネントであり、Ｔｒａｎｓｆｏｒｍはデコーダなどメディアデータを処理する中間に位置するコンポーネントで、Ｍｅｄｉａ  Ｓｉｎｋはレンダラなどメディアデータを出力するコンポーネントである。
【００３０】
ＤＶＤドライブ１１２によって再生されたＤＶＤ−ＶＩＤＥＯのデータはナビゲーション５０１に送られる。ＤＶＤ−ＶＩＤＥＯのデータはＣＳＳ（Content Scramble System）によって暗号化されている。ナビゲーション５０１は、暗合されているデータを復号し、復号されたデータからビデオパック（Ｖ＿ＰＣＫ）、サブピクチャパック（ＳＰ＿ＰＣＫ）、及びオーディオパック（Ａ＿ＰＣＫ）を分離する。ナビゲーション５０１はオーディオパック（Ａ＿ＰＣＫ）をオーディオデコーダ５１１に渡す。また、ナビゲーション５０１はビデオパック（Ｖ＿ＰＣＫ）およびサブピクチャパック（ＳＰ＿ＰＣＫ）をサブピクチャデコーダ５４１に渡す。
【００３１】
オーディオデコーダ５１１は圧縮符号化されている音声情報を伸張して無圧縮のオーディオデータに変換し、オーディオデータをオーディオレートコンバータ５１２に渡す。オーディオレートコンバータ５１２は、オーディオデータを適切なサンプリングレートに変換して、サウンドレンダラ５１３に渡す。サウンドレンダラ５１３は渡されたオーディオデータとコンピュータ上で動作する他のソフトウェア等が生成したオーディオデータと合成してオーディオドライバ５１４に渡す。オーディオドライバ５１４はサウンドコントローラ１０６を制御して、スピーカ１８Ａ，１８Ｂからオーディオを出力する。
【００３２】
ビデオデコーダ５２１において、ライン２１のデータが含まれる場合はライン２１のデータをライン２１デコーダ５２２に渡す。ビデオデコーダ５２１は、ビデオパック（Ｖ＿ＰＣＫ）をデコードすることによってフィールド画像を生成する。サブピクチャデコーダ５４１はサブピクチャパック（ＳＰ＿ＰＣＫ）をデコードする。デコードされたデータは拡張ビデオレンダラ５２３に送られる。
【００３３】
拡張ビデオレンダラ５２３内のミキサ５２３Ａは、ビデオデコーダ５２１から渡された複数のフレームに対してインターレス／プログレッシブ変換（Ｉ／Ｐ変換）を行って、フィールド画像からフレーム画像を生成する。生成されたフレーム画像はプレゼンタ５２３Ｂに渡される。
【００３４】
画質改善モジュール５２３Ｃは、ミキサ５２３Ａから出力されたデータに対してグラフマネージャ／メディアファンデーションプレイヤ５３２によって設定される設定値に基づいた画質改善処理を行う。グラフマネージャ／メディアファンデーションプレイヤ５３２は、動画像が表示されている表示装置の解像度に応じた設定値を画質改善処理モジュールに設定する。また、グラフマネージャ／メディアファンデーションプレイヤ５３２は、動画像が表示されているウィンドウのサイズに応じた設定を画質改善処理モジュールに設定する。
【００３５】
プレゼンタ５２３Ｂは、画質が改善されたフレーム画像にサブピクチャ（伸張されたサブピクチャパック）やクローズドキャプションを合成する等の処理を実行したり、フレームをレンダリングしたりする処理を行う。
【００３６】
プレゼンタ５２３Ｂから出力された動画データはディスプレイドライバ５２４に渡される。ディスプレイドライバ５２４はＧＰＵ１０５を制御して、ＬＣＤ１７またはＴＦＴ−ＬＣＤ２１に動画像を表示する。
【００３７】
プレイヤシェル／ユーザインタフェース５３１は再生コントロールパネルの表示に係わる処理を行う。また、プレイヤシェル／ユーザインタフェース５３１はユーザによって操作されたボタンに応じたコマンドをグラフマネージャ/メディアファンデーションプレイヤ５３２を介してメディアファンデーション５１０に通知する。メディアファンデーション５１０は通知されたコマンドに応じてナビゲーション５０１、オーディオデコーダ５１１、およびビデオデコーダ５２１から構成されるトポロジーを制御する。
【００３８】
次に、図４を参照して、画質改善処理の設定を変更する手順を説明する。  
先ず、グラフマネージャ／メディアファンデーションプレイヤ５３２は、オペレーティングシステム２０１から動画像が表示されているウィンドウの出力先の表示装置（テレビ受像器２０またはＬＣＤ１７）のパネルサイズと画素数（例えば、1920×1080）を取得する（ステップ６０１）。グラフマネージャ／メディアファンデーションプレイヤ５３２は、取得したパネルサイズと画素数から解像度（ｄｐｉ（Dot per inch））を演算する（ステップ６０２）。例えば、解像度Ｒは、
Ｒ＝｛（Ｐx2＋Ｐx2）1/2｝／Ｓ
によって演算される。なお、Ｐxはパネルの横方向の画素数、Ｐyはパネルの縦方向の画素数、Ｓはパネルサイズである。
【００３９】
グラフマネージャ／メディアファンデーションプレイヤ５３２は、演算された解像度が閾値より小さいかを判定する（ステップ６０３）。解像度が閾値より小さい場合（ステップ６０３のＹｅｓ）、グラフマネージャ／メディアファンデーションプレイヤ５３２は、画質改善設定値Ｂを画質改善モジュール５２３Ｃに設定する（ステップ６０５）。解像度が閾値より小さくない場合（ステップ６０３のＮｏ）、グラフマネージャ／メディアファンデーションプレイヤ５３２は、画質改善設定値Ａを画質改善モジュール５２３Ｃに設定する（ステップ６０４）。画質改善設定値Ａおよび画質改善設定値Ｂは、輪郭強調のためのシャープネス等の設定値を含む。画質改善設定値Ａに含まれるシャープネスの設定値が画質改善設定値Ｂ含まれるシャープネスの設定値より高い。解像度が低いと細かいところが見にくくなるので、シャープネスを強くして、細部が見えるようにする。また、解像度が高い場合、輪郭が強調されると眼が疲れやすいので、画質をソフトにするためにシャープネスを弱くする。
【００４０】
次いで、グラフマネージャ／メディアファンデーションプレイヤ５３２は、動画像が表示されるウィンドウのサイズをオペレーティングシステムから取得する（ステップ６０６）。
【００４１】
グラフマネージャ／メディアファンデーションプレイヤ５３２は、ソース映像の画素数がウインドウサイズより大きいかを判定する（ステップ６０７）。ソース映像の画素数が大きいと判断した場合（ステップ６０７のＹｅｓ）、グラフマネージャ／メディアファンデーションプレイヤ５３２は、画質改善設定値Ｃを画質改善モジュール５２３Ｃに設定する（ステップ６０８）。画質改善設定値Ｃは、ステップ６０４または６０５において設定されたシャープネスを強くする設定である。
【００４２】
ソース映像の画素数が大きくないと判断した場合（ステップ６０７のＮｏ）、またはステップ６０８の後、画質改善モジュール５２３Ｃは設定値に基づいて画質改善処理を行う（ステップ６０９）。グラフマネージャ／メディアファンデーションプレイヤ５３２は、ビデオデコーダ５２１から拡張ビデオレンダラ５２３にビデオデコーダ５２１からデータが供給されているかを判定する（ステップ６１０）。
【００４３】
動画データが供給されていると判断した場合（ステップ６１０のＹｅｓ）、グラフマネージャ／メディアファンデーションプレイヤ５３２は、ウィンドウの出力先をオペレーティングシステム２０１から取得する（ステップ６１１）。グラフマネージャ／メディアファンデーションプレイヤ５３２は、出力先がステップ６０１でパネルサイズおよび画素数を取得したディスプレイと異なるかを判定する（ステップ６１２）。異なると判定した場合（ステップ６１２のＹｅｓ）、グラフマネージャ／メディアファンデーションプレイヤ５３２は、ステップ６０１からの処理を順次実行する。異ならないと判定した場合（ステップ６１２のＮｏ）、グラフマネージャ／メディアファンデーションプレイヤ５３２は、ステップ６０６からの処理を順次実行する。
【００４４】
以上の処理によって表示装置の解像度に応じた最適な画質改善処理を行うことができる。また、動画像が表示されるウィンドウのサイズに応じた最適な画質改善処理を行うことができる。
【００４５】
なお、上記実施形態では、拡張ビデオレンダラ５２３内に画質改善モジュール５２３Ｃを設けていた。この場合、拡張ビデオレンダラ５２３を別途作成する必要がある。ところが、図５に示すように、画質改善モジュール５４０をプラグインとしてミキサ５２３Ａとプレゼンタ５２３Ｂとの間に組み込む形式にすれば、既存のアプリケーションを改変せずに、上述した機能を実現することができる。
【００４６】
尚、本実施形態では、画質改善処理としてシャープネスを中心に説明しているが、これに限られるものではない。たとえば、高解像度化処理やコントラスト補正、３次元プレーヤでのクロストークキャンセル処理等に対する処理に適用することも可能である。
【００４７】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００４８】
１０…携帯型パーソナルコンピュータ（再生装置），１２…ディスプレイユニット，２０…テレビ受像器，２１…ＬＣＤ，５２３…拡張ビデオレンダラ，５２３Ａ…ミキサ，５２３Ｂ…プレゼンタ，５２３Ｃ…画質改善モジュール（画質改善手段），５２４…ディスプレイドライバ，５３１…ユーザインタフェース，５３２…グラフマネージャ/メディアファンデーションプレイヤ（解像度取得手段、設定手段），５４０…画質改善モジュール（画質改善手段）。
【図１】
2011244160.tif 000003
【図２】
2011244160.tif 000004
【図３】
2011244160.tif 000005
【図４】
2011244160.tif 000006
【図５】
2011244160.tif 000007
【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
符号化されている第１動画データを復号することによって第２動画データを生成する復号手段と、
表示装置の解像度を決定する解像度取得手段と、
前記第２動画データに対して、前記表示装置の解像度に基づいた画質改善処理を行う画質改善手段と、
を具備する再生装置。
【請求項２】
前記解像度取得手段は、前記表示装置に関連付けられているパネルサイズおよび画素数を取得し、取得されたパネルサイズおよび画素数に基づいて前記解像度を演算する、請求項１に記載の再生装置。
【請求項３】
前記画質改善手段は前記第２動画データのシャープネスを調整し、
前記画質改善手段は、前記解像度が閾値より高い場合に前記シャープネスの設定値を第１の設定値に設定し、
前記画質改善手段は、前記解像度が閾値より高くない場合に前記シャープネスの設定値を第２の設定値に設定する、請求項１に記載の再生装置。
【請求項４】
サイズ取得手段を更に具備し、
前記サイズ取得手段はウィンドウのサイズを取得し、
前記画質改善手段は、前記サイズ取得手段によって取得されたサイズに基づいて前記画質改善処理の設定値を行なう、請求項１に記載の再生装置。
【請求項５】
前記画質改善手段は、前記第２動画データのシャープネスを調整し、
前記画質改善手段は、前記第２動画データの画素数が前記ウィンドウのサイズより大きい場合に前記シャープネスの設定値を第１の値に設定し、
前記画質改善手段は、前記第２動画データの画素数が前記ウィンドウのサイズより大きくない場合に前記シャープネスの設定値を第２の値に設定する、請求項４に記載の再生装置。
【請求項６】
符号化されている第１動画データを復号することによって第２動画データを生成し、
表示装置の解像度を決定し、
前記表示装置の解像度に基づいた設定値を設定し、
前記設定値に基づいて前記第２動画データに対して画質改善処理を行う
再生方法。
【請求項７】
前記解像度の決定は、前記表示装置からパネルサイズおよび画素数を取得し、取得されたパネルサイズおよび画素数に基づく前記解像度の演算する、
請求項６に記載の再生方法。
【請求項８】
前記画質改善処理は
前記第２動画データのシャープネスを調整し、
前記解像度が閾値より高い場合に前記シャープネスの設定値を第１の値に設定し、
前記解像度が閾値より高くない場合に前記シャープネスの設定値を第２の値に設定する、
請求項６に記載の再生方法。
【請求項９】
前記第２動画データに基づいた映像が表示されるウィンドウのサイズを決定し、
取得されたサイズに基づいた前記画質改善処理の設定値の設定を行う、
請求項６に記載の再生方法。
【請求項１０】
前記画質改善処理は、
前記第２動画データのシャープネスを調整し、
前記第２動画データの画素数が前記ウィンドウのサイズより大きい場合に前記シャープネスの設定値を第１の値に設定し、前記第２動画データの画素数が前記ウィンドウのサイズより大きくない場合に前記シャープネスの設定値を第２の値に設定する、請求項９に記載の再生方法。
【手続補正２】
【補正対象書類名】明細書
【補正対象項目名】０００８
【補正方法】変更
【補正の内容】
【０００８】
実施形態に係わる再生装置は、符号化されている第１動画データを復号することによって第２動画データを生成する復号手段と、表示装置の解像度を決定する解像度取得手段と、前記第２動画データに対して、前記表示装置の解像度に基づいた画質改善処理を行う画質改善手段と、を具備する。